(57)【要約】【課題】優れたユーザインタフェースを有する電子キャッシュレジスタを提供することを目的とする。【解決手段】電子キャッシュレジスタに表示される売上登録画面１１０において、仮表示欄１２０および確定表示欄１４０を設ける。電子キャッシュレジスタの動作モードが変更されても、仮表示欄１２０については、画面のほぼ同じ位置に表示する。オペレータによって入力される入力情報「２」は、一旦、仮表示欄１２０に表示し、オペレータに誤りがないことを確認させる。オペレータによる確認が終了したら、確定指示を入力させることにより、仮表示欄１２０に表示している入力情報を確定表示欄１４０に表示する。【選択図】図７
2006244345.tif 000002
【特許請求の範囲】
【請求項１】
顧客によって購入される少なくとも１の購入商品の個々の代金に基づいて、前記顧客に対する請求金額を出力する電子キャッシュレジスタであって、
複数の動作モードに応じた複数の画面をそれぞれ切替つつ、前記複数の画面のほぼ同じ位置に仮表示欄を表示する表示手段と、
オペレータからの入力を受け付ける入力手段と、
を備え、
前記表示手段は、前記入力手段によって受け付けた入力情報を、一旦、前記仮表示欄に表示してから確定表示欄に表示することを特徴とする電子キャッシュレジスタ。
【請求項２】
請求項１に記載の電子キャッシュレジスタであって、
前記入力手段が、
数字を入力するための置数キーを有し、
前記入力情報は、前記置数キーにより入力されることを特徴とする電子キャッシュレジスタ。
【請求項３】
請求項１または２に記載の電子キャッシュレジスタであって、
前記入力手段が、
前記仮表示欄に表示されている入力情報を最終的に表示する確定表示欄を指定する指定キーを有することを特徴とする電子キャッシュレジスタ。
【請求項４】
請求項１または２に記載の電子キャッシュレジスタであって、
前記表示手段は、前記仮表示欄に表示されている入力情報が最終的に表示される確定表示欄を他の表示欄と異なる装飾で表示することを特徴とする電子キャッシュレジスタ。
【請求項５】
請求項１ないし４のいずれかに記載の電子キャッシュレジスタであって、
前記入力手段が、
前記表示手段の画面と対応したタッチパネルを備えることを特徴とする電子キャッシュレジスタ。
【請求項６】
コンピュータによる読み取り可能なプログラムであって、前記コンピュータによる前記プログラムの実行は、前記コンピュータを、顧客によって購入される少なくとも１の購入商品の個々の代金に基づいて、前記顧客に対する請求金額を出力する電子キャッシュレジスタとして機能させるとともに、前記コンピュータに、
複数の動作モードに応じた複数の画面をそれぞれ切替つつ、前記複数の画面のほぼ同じ位置に仮表示欄を表示する第１表示工程と、
オペレータからの入力を受け付ける入力工程と、
前記入力工程において受け付けた入力情報を、一旦、前記仮表示欄に表示する第２表示工程と、
前記仮表示欄に表示している入力情報を確定表示欄に表示する第３表示工程と、
を実行させることを特徴とするプログラム。
【発明の詳細な説明】
【技術分野】
【０００１】
本発明は、電子キャッシュレジスタにおける画面表示技術に関する。より詳しくは、画面の表示領域を効果的に割り当てる技術に関する。
【背景技術】
【０００２】
店舗におけるレジカウンターなどでは、顧客が持参した購入商品に対する請求金額を演算して出力する電子キャッシュレジスタが用いられる。電子キャッシュレジスタは、各購入商品が登録され、それぞれの売価が入力されると、それらを合計して画面に表示したり、レシートを印刷したりすることにより、請求金額を出力する。
【０００３】
電子キャッシュレジスタには、購入商品に関する情報や顧客情報等の様々な情報が入力される。このような電子キャッシュレジスタが特許文献１に記載されている。
【０００４】
特許文献１に記載されている装置では、入力される情報に応じて、様々な入力画面が用意されており、状況に応じて特定の画面が表示装置に表示されるようになっている。これによって、オペレータは、いわゆる動作モードに合わせて、入力すべき情報を判断することが可能とされている。
【０００５】
【特許文献１】特開平１０−０６３９５５号公報
【発明の開示】
【発明が解決しようとする課題】
【０００６】
ところが、画面が大型のものになると、１つの画面に同時に様々な情報が表示されるためオペレータがどこに何が表示されているのかを把握するのが困難になるという問題がある。特に、電子キャッシュレジスタでは、表示される情報の多くが「数字」であるが、「数字」は、一見してその意味を把握することが難しいという特殊な事情がある。さらに、特許文献１に記載されている電子キャッシュレジスタのように、表示される画面の種類が豊富になると、オペレータの負担は増大する。
【０００７】
また、電子キャッシュレジスタでは、ＩＤ番号のように桁数の多い数字が入力されることも多く誤入力が発生しやすい。しかも数字は１文字（１桁）の入力ミスで大きな影響が出るなど、誤入力による影響も大きく、入力文字に対するオペレータの目視確認は必須である。すなわち、オペレータは、常に入力中の文字の表示位置を把握しておき、入力を確定させる前に、正しい文字がされているか否かを判断しなければならない。
【０００８】
さらに、オペレータは、顧客を前にして、常に迅速な対応が要求されるなど、電子キャッシュレジスタに対するユーザインタフェースの向上は切実な問題である。
【０００９】
本発明は、上記課題に鑑みなされたものであり、優れたユーザインタフェースを有する電子キャッシュレジスタを提供することを目的とする。
【課題を解決するための手段】
【００１０】
上記の課題を解決するため、請求項１の発明は、顧客によって購入される少なくとも１の購入商品の個々の代金に基づいて、前記顧客に対する請求金額を出力する電子キャッシュレジスタであって、複数の動作モードに応じた複数の画面をそれぞれ切替つつ、前記複数の画面のほぼ同じ位置に仮表示欄を表示する表示手段と、オペレータからの入力を受け付ける入力手段とを備え、前記表示手段は、前記入力手段によって受け付けた入力情報を、一旦、前記仮表示欄に表示してから確定表示欄に表示することを特徴とする。
【００１１】
また、請求項２の発明は、請求項１の発明に係る電子キャッシュレジスタであって、前記入力手段が、数字を入力するための置数キーを有し、前記入力情報は、前記置数キーにより入力されることを特徴とする。
【００１２】
また、請求項３の発明は、請求項１または２の発明に係る電子キャッシュレジスタであって、前記入力手段が、前記仮表示欄に表示されている入力情報を最終的に表示する確定表示欄を指定する指定キーを有することを特徴とする。
【００１３】
また、請求項４の発明は、請求項１または２の発明に係る電子キャッシュレジスタであって、前記表示手段は、前記仮表示欄に表示されている入力情報が最終的に表示される確定表示欄を他の表示欄と異なる装飾で表示することを特徴とする。
【００１４】
また、請求項５の発明は、請求項１ないし４のいずれかの発明に係る電子キャッシュレジスタであって、前記入力手段が、前記表示手段の画面と対応したタッチパネルを備えることを特徴とする。
【００１５】
また、請求項６の発明は、コンピュータによる読み取り可能なプログラムであって、前記コンピュータによる前記プログラムの実行は、前記コンピュータを、顧客によって購入される少なくとも１の購入商品の個々の代金に基づいて、前記顧客に対する請求金額を出力する電子キャッシュレジスタとして機能させるとともに、前記コンピュータに、複数の動作モードに応じた複数の画面をそれぞれ切替つつ、前記複数の画面のほぼ同じ位置に仮表示欄を表示する第１表示工程と、オペレータからの入力を受け付ける入力工程と、前記入力工程において受け付けた入力情報を、一旦、前記仮表示欄に表示する第２表示工程と、前記仮表示欄に表示している入力情報を確定表示欄に表示する第３表示工程とを実行させることを特徴とする。
【発明の効果】
【００１６】
請求項１ないし６に記載の発明では、複数の動作モードに応じた複数の画面をそれぞれ切替つつ、複数の画面のほぼ同じ位置に仮表示欄を表示し、受け付けた入力情報を、一旦、仮表示欄に表示してから確定表示欄に表示することにより、画面が切り替わっても仮表示欄の表示位置が変わらないので、オペレータは、入力情報が画面上のどこに表示されているかを容易に理解することがきる。
【００１７】
請求項３に記載の発明では、仮表示欄に表示されている入力情報を最終的に表示する確定表示欄を指定する指定キーを有することにより、確定表示欄を指定することができるため、数値の誤入力と入力位置（項目）の誤りをともに抑制することができる。
【００１８】
請求項４に記載の発明では、仮表示欄に表示されている入力情報が最終的に表示される確定表示欄を他の表示欄と異なる装飾で表示することにより、仮表示欄に表示されている入力情報が、どこに入力されるか容易に確認することができる。
【発明を実施するための最良の形態】
【００１９】
以下、本発明の好適な実施の形態について、添付の図面を参照しつつ、詳細に説明する。
【００２０】
＜１．  実施の形態＞
図１は、本発明に係る電子キャッシュレジスタ１の外観斜視図である。また、図２は、電子キャッシュレジスタ１の接続を示すブロック図である。
【００２１】
電子キャッシュレジスタ１は、主にターミナル２とスキャナ３とを備える。ターミナル２とスキャナ３とは、図１に示すように、無線によってデータ通信が可能に接続されている。なお、ターミナル２とスキャナ３とは、互いにデータの送受信が可能であれば、ケーブルによって接続されていてもよい。また、スキャナ３はレジカウンター等に設置されるタイプのものであってもよい。
【００２２】
ターミナル２は、内部に制御部１０を備えるとともに、オペレータディスプレイ２０、カスタマディスプレイ２１およびキーボード２２を備える。
【００２３】
制御部１０は、図２に示すように、データの演算や制御信号の生成を行うＣＰＵ１１、ＣＰＵ１１のワーキングエリアとして使用されるメモリ１２およびプログラム１４等を記憶するハードディスク１３を備え、一般的なコンピュータとしての機能を備えている。
【００２４】
ハードディスク１３には、例えば、各商品に関する情報（商品情報）が識別情報に関連づけて記憶され、いわゆる商品データベースが構築されている。商品データベースは、ＣＰＵ１１によって、適宜、参照可能とされている。例えば、ＣＰＵ１１は、「部門コード」を識別情報として、商品データベースにアクセスすることにより、商品名等の商品情報を取得することができるようにされている。オペレータはキーボード２２等を操作して様々なデータを入力することにより、これらのデータベースを予め作成しておく。
【００２５】
また、ハードディスク１３は、オペレータディスプレイ２０に表示するための画面データを記憶している。画面データとは、オペレータディスプレイ２０の画面のレイアウトに関する情報である。制御部１０は、電子キャッシュレジスタ１の動作モードに応じて、ハードディスク１３から適切な画面データを読み込んで、オペレータディスプレイ２０に表示させる。
【００２６】
オペレータディスプレイ２０は、主にオペレータに対してデータを表示するディスプレイ装置であって、オペレータの立ち位置に画面が向くように配置される。なお、本実施の形態における電子キャッシュレジスタ１では、オペレータディスプレイ２０として、タッチパネル式の液晶ディスプレイを採用する。すなわち、オペレータディスプレイ２０は、ターミナル２にデータを入力する際にも使用され、オペレータは画面に表示されるソフトキー（疑似ボタン）を操作することによって、電子キャッシュレジスタ１を操作したり、入力情報を入力することができる。
【００２７】
カスタマディスプレイ２１は、主に顧客に対してデータを表示するディスプレイ装置であって、顧客の立ち位置に画面が向くように配置される。
【００２８】
なお、ターミナル２が表示する情報を、オペレータディスプレイ２０に表示するか、カスタマディスプレイ２１に表示するかは、制御部１０の制御によって決定される。
【００２９】
キーボード２２は、複数のボタンが配列した構造であり、オペレータがターミナル２に指示やデータを入力する際に使用される。キーボード２２は、オペレータから受け付けた入力を電気信号に変換して制御部１０に伝達する。
【００３０】
また、ターミナル２は、磁気カードリーダ２３およびレシートプリンタ２４を備える。
【００３１】
磁気カードリーダ２３は、図示しない磁気カードに記憶されている情報を読み取るための入力装置である。これにより、電子キャッシュレジスタ１は、例えば、顧客用のポイントカード等の情報を読み取ることが可能となる。
【００３２】
レシートプリンタ２４は、レシート用紙にデータを印刷して出力する装置である。詳細は図示しないが、ターミナル２は、レシート用紙としてのロール紙を内部にセットできるようになっている。
【００３３】
スキャナ３は、ハンディタイプの一般的なバーコードリーダであって、主に購入商品に添付されているラベルのバーコードを読み取って、ターミナル２に送信する。なお、スキャナ３はカウンタに設置されているタイプのものでもよい。
【００３４】
以上が、電子キャッシュレジスタ１の機能および構成の説明である。次に、電子キャッシュレジスタ１の動作を説明しながら、電子キャッシュレジスタ１の表示画面について説明する。
【００３５】
図３は、電子キャッシュレジスタ１の動作を示す流れ図である。電子キャッシュレジスタ１は、まず、図示しない初期設定工程が終了すると、オペレータディスプレイ２０に初期画面を表示し（ステップＳ１１）、メニュー表示指示があるまで待機する（ステップＳ１２）。
【００３６】
図４は、メニュー画面１００の例を示す図である。電子キャッシュレジスタ１は、オペレータからのメニュー表示指示があると、制御部１０からの制御信号に応じて、オペレータディスプレイ２０にメニュー画面１００を表示する（ステップＳ１３）。
【００３７】
本実施の形態におけるメニュー表示指示の流れを具体的に説明すると、初期画面の左上に準備されているメニューボタン１００ａが操作されることによって、メインメニュー画面１００ｂが表示される。また、メインメニュー画面１００ｂに表示されているメイン項目ボタン１００ｃのいずれかが操作されることによって、操作されたメイン項目ボタン１００ｃに応じたサブメニュー画面１００ｄが表示される。サブメニュー画面１００ｄには、メインメニュー画面１００ｂと同様に、選択可能な複数のサブ項目ボタン１００ｅが設けられており、これをオペレータが選択することによって電子キャッシュレジスタ１の動作モードが決定される。図４では、メイン項目ボタン１００ｃのうちの「登録」が選択され、「登録」のサブメニュー画面１００ｄが表示されている例を示している。
【００３８】
メニュー画面１００を表示すると、制御部１０は、キャンセル指示および選択指示を監視しつつ待機する（ステップＳ１４，Ｓ１５）。キャンセル指示があるとメニュー画面１００を閉じて、ステップＳ１１に戻る。一方、動作モードの選択指示があると、選択された動作モードに応じた処理を行う（ステップＳ１６）。
【００３９】
以下、電子キャッシュレジスタ１におけるオペレータの入力処理を、電子キャッシュレジスタ１の動作モードのうち、売上登録処理を例に説明する。すなわち、メイン項目ボタン１００ｃの「登録」が選択され、「登録」のサブ項目ボタン１００ｅの「売上」が選択された場合に、ステップＳ１６において実行される動作モードについて説明する。
【００４０】
図５は、売上登録処理の動作を示す流れ図である。図６は、売上登録画面１１０の表示例を示す図である。まず、売上登録処理が選択されると、制御部１０は、オペレータディスプレイ２０に売上登録画面１１０を表示させる（ステップＳ２１）。
【００４１】
売上登録画面１１０は、電子キャッシュレジスタ１の動作モードのうち、売上登録処理における入力画面である。図６に示すように、売上登録画面１１０には、仮表示欄１２０、ガイダンス表示欄１３０および確定表示欄１４０が設けられている。言い換えると、オペレータディスプレイ２０の画面領域が、仮表示欄１２０、ガイダンス表示欄１３０および確定表示欄１４０にそれぞれ割り当てられている。
【００４２】
仮表示欄１２０とは、オペレータが入力した入力情報（文字）を、一旦表示しておくために設けられるエリアである。したがって、ステップＳ２１が主に本発明における第１表示工程に相当する。
【００４３】
ガイダンス表示欄１３０とは、オペレータに入力促進メッセージなどの操作案内を表示するエリアであり、仮表示欄１２０の近傍のエリアが割り当てられている。オペレータはガイダンス表示欄１３０を確認することにより、どのような操作を行うべきかを判断することができる。また、詳細は後述するが、仮表示欄１２０は、オペレータが注視するエリアであるので、この近傍にガイダンス表示欄１３０を設けて、オペレータに対するガイダンスを表示することによって、オペレータの誤操作を抑制することができる。
【００４４】
確定表示欄１４０とは、確定登録された情報（主に入力情報）を表示するために設けられるエリアである。売上登録処理では、複数の購入商品が登録される可能性があるので、図６に示すように、複数の確定表示欄１４０が設けられている。すなわち、それぞれの確定表示欄１４０に表示領域が割り当てられている。
【００４５】
また、売上登録画面１１０には、カーソル指定ボタン１５０が設けられている。カーソル指定ボタン１５０は、仮表示欄１２０に表示されている入力情報を、最終的に表示する確定表示欄１４０を指定するために使用されるソフトキーである。オペレータディスプレイ２０は、先述のようにタッチパネル式なので、カーソル指定ボタン１５０が表示されている領域にオペレータが触れることによって、カーソル指定ボタン１５０を操作することが可能である。なお、カーソル指定ボタン１５０と同様の機能を有するハードキーがキーボード２２に設けられていてもよい。
【００４６】
売上登録処理が開始されることによって売上登録画面１１０が表示されると、制御部１０は、入力情報、確定指示および終了指示を監視しつつ待機する（ステップＳ２２，Ｓ２４，Ｓ２６）。なお、入力情報、確定指示および終了指示は、キーボード２２の特定のキーに割り当てられており、不適切なキーが操作された場合は、その旨がガイダンス表示欄１３０に表示される。
【００４７】
図５には示していないが、オペレータは、入力情報を入力する前に、カーソル指定ボタン１５０を操作することにより、これから入力する入力情報を最終的に表示する確定表示欄１４０を予め指定することが可能とされている。すなわち、レコードを指定することが可能である。これにより、数値の誤入力と入力位置の誤りを抑制することができる。なお、本実施の形態におけるカーソル指定ボタン１５０は、レコードを指定する機能のみ備えているが、レコード内の項目を指定する機能をさらに備えていてもよい。
【００４８】
図６に示す例では、複数の確定表示欄１４０のうち最も上方に表示されている確定表示欄１４０の色が、他の確定表示欄１４０と異なるように装飾されている。これにより、オペレータは、指定されている確定表示欄１４０がいずれであるかを容易に識別することができる。なお、指定されている確定表示欄１４０を変更したい場合は、カーソル指定ボタン１５０を再度操作すればよい。
【００４９】
オペレータから入力情報が入力されると（ステップＳ２２においてＹｅｓ）、入力情報を仮表示欄１２０に表示する（ステップＳ２３）。また、仮表示欄１２０に入力情報が表示されている状況で、確定指示があると（ステップＳ２４においてＹｅｓ）、仮表示欄１２０に表示されている入力情報を確定表示欄１４０に表示する（ステップＳ２５）。
【００５０】
図７ないし図１２は、売上登録処理における売上登録画面１１０の表示例を示す図である。まず、売上登録処理において、オペレータは、キーボード２２の数字キーを操作して、購入された商品の「個数」を入力する。ここで示す例では「２」キーが操作され、個数として「２」が入力されている。電子キャッシュレジスタ１は、入力された「２」という数字を入力情報として受け付け、ステップＳ２３を実行することにより、図７に示すように、仮表示欄１２０に一旦表示する。すなわち、ステップＳ２３が主に本発明における第２表示工程に相当する。
【００５１】
仮表示欄１２０に表示された時点では、入力情報「２」は、売上演算するための「個数」として有効な情報とは扱われない。すなわち、この時点において、仮表示欄１２０に表示されている入力情報「２」は、置数として扱われる。
【００５２】
オペレータは仮表示欄１２０を視認することによって、入力した個数に誤りがないかを確認し、誤りがなければ確定指示を与える。ここに示す例では個数の確定指示は「×」が入力されることにより行う。すなわち、キーボード２２の「×」キーが操作されると、制御部１０は、確定指示がされたと判断し、ステップＳ２５を実行して、仮表示欄１２０に表示している「２」という入力情報を、図８に示すように、指定されている（他と異なる装飾がされている）確定表示欄１４０に表示する。すなわち、ステップＳ２５が主に本発明における第３表示工程に相当する。
【００５３】
このように、確定指示がされ、入力情報が確定表示欄１４０に表示されることにより、入力情報「２」は、以後の演算において個数「２」として有効となる。なお、仮表示欄１２０に表示している入力情報を確定表示欄１４０に表示させた場合には、仮表示欄１２０に表示していた入力情報の表示は消去する。以後の処理においても同様である。
【００５４】
個数の入力が終了すると、オペレータは購入商品の単価を入力情報として入力する。ここに示す例では「２１０」が入力される。この入力情報「２１０」も、再びステップＳ２３が実行されることによって、図９に示すように、一旦仮表示欄１２０に表示される。
【００５５】
オペレータは仮表示欄１２０を視認することによって、入力した単価が間違っていないか否かを確認し、誤りがなければ確定指示を与える。ここに示す例では単価の確定指示は「金額」が入力されることにより行う。すなわち、キーボード２２の「金額」キーが操作されると、制御部１０は、確定指示がされたと判断し、再びステップＳ２５を実行して、仮表示欄１２０に表示している入力情報「２１０」を、図１０に示すように確定表示欄１４０に表示する。
【００５６】
次に、オペレータは購入商品の商品名を入力情報として入力する。ここで示す例では、商品名は部門コード「１０１」が入力される。この入力情報「１０１」も、再びステップＳ２３が実行されることによって、図１１に示すように、一旦仮表示欄１２０に表示される。
【００５７】
オペレータは仮表示欄１２０を視認することによって、入力した部門コードに誤りがないかを確認し、誤りがなければ確定指示を与える。ここに示す例では商品名の確定指示は「部門」が入力されることにより行われる。すなわち、キーボード２２の「部門」キーが操作されると、制御部１０は、確定指示がされたと判断し、再びステップＳ２５を実行して、仮表示欄１２０に表示している入力情報「１０１」に基づいて、図１２に示すように確定表示欄１４０に商品名「○○牛乳１０００ｍｌ」を表示する。
【００５８】
このように、仮表示欄１２０に表示されている入力情報（部門コード「１０１」）を直接確定表示欄１４０に表示するのではなく、入力情報に関連づけられた情報（商品名「○○牛乳１０００ｍｌ」）を確定表示欄１４０に表示するようにしてもよい。
【００５９】
また、図１２に示すように、１つの入力情報につき複数の確定表示欄１４０の項目が対応していてもよい。ここに示す例では、「部門」キーが操作されることによって、「消費税」の数値が確定表示されている。
【００６０】
すべての購入商品について売上登録の入力情報が確定すると、オペレータは終了指示を入力する。ここに示す例では、「精算」キーが操作されることによって終了指示がされる。終了指示がされると、制御部１０は、すべての入力情報を売上登録し（ステップＳ２７）、精算処理を行う（ステップＳ２８）。
【００６１】
詳細は図示しないが、精算処理においても、ステップＳ２２ないしＳ２６に相当する処理が行われる。
【００６２】
図１３ないし図１５は、精算処理において表示される精算画面１１１の表示例を示す図である。精算画面１１１において、売上登録画面１１０とほぼ同じ位置（エリア）に仮表示欄１２０およびガイダンス表示欄１３０が割り当てられている。すなわち、画面が動作モードに応じて切り替えられた場合でも、仮表示欄１２０とガイダンス表示欄１３０とは、ともにほぼ同じ位置に表示される。
【００６３】
ただし、精算処理でオペレータが入力する入力情報は、顧客からの「預り金」のみである。したがって、精算画面１１１における確定表示欄１４０は１つしかなく、指定する必要がないので、カーソル指定ボタン１５０は設けられていない。
【００６４】
精算処理では、まず、ステップＳ２７において登録された情報に基づいて、図１３に示すように、「合計」および「残金」が表示される。ここで、オペレータが顧客から支払いを受けると、オペレータはキーボード２２を操作して、預かり金額を入力する。ここで示す例では、３０００円を預かり、キーボード２２から入力情報「３０００」が入力されている。
【００６５】
この入力情報「３０００」は、図１４に示すように、一旦、仮表示欄１２０に表示される。この時点では、入力情報「３０００」は、確定指示されていないので、「つり銭」等は計算されず、表示もされない。すなわち、入力情報「３０００」は置数として扱われる。
【００６６】
入力情報が仮表示欄１２０に表示されると、オペレータは仮表示欄１２０を視認することにより金額が正しく入力されたか否かを確認する。先述のように、仮表示欄１２０は、精算画面１１１において、売上登録画面１１０とほぼ同じ位置に表示されている。したがって、オペレータは、売上登録画面１１０が精算画面１１１に切り替わっても、自らが入力した入力情報がどこに表示されるかを探す必要がなく、迅速に入力情報を確認することができる。
【００６７】
金額が正しく入力されていれば、オペレータは確定指示を行う。この確定指示によって、図１５に示すように、仮表示欄１２０に表示されていた入力情報「３０００」が、確定表示欄１４０に表示され、仮表示欄１２０の入力情報「３０００」は消去される。
【００６８】
さらに、この確定指示によって、入力情報が有効となる（すなわち、預かり金が数値登録される）ので、電子キャッシュレジスタ１の制御部１０は、預かり金額と合計金額とに基づいて、つり銭を計算し表示する。また、売上登録処理において登録された情報に基づいて、レシートプリンタ２４がレシートを印刷する。
【００６９】
オペレータは、精算画面１１１に表示されたつり銭の金額を確認して、顧客につり銭とレシートを渡すとともに、売上登録処理を終了する指示を入力する。これにより、電子キャッシュレジスタ１は、売上登録処理を終了して図３に示す処理に戻る。
【００７０】
以上が、売上登録処理の説明であるが、他の動作モードにおいて表示される入力画面についても以下にいくつかの例を示す。
【００７１】
図１６は、入金登録画面１１２の例を示す図である。入金登録画面１１２は、電子キャッシュレジスタ１の動作モードのうち、入金登録処理が選択された場合に表示される入力画面である。入金登録処理は、メイン項目ボタン１００ｃの「登録」が選択され、「登録」のサブ項目ボタン１００ｅの「入金」が選択された場合に実行される。入金登録画面１１２には、売上登録画面１１０とほぼ同じ位置に、仮表示欄１２０およびガイダンス表示欄１３０が設けられている。
【００７２】
図１７は、出金登録画面１１３の例を示す図である。出金登録画面１１３は、電子キャッシュレジスタ１の動作モードのうち、出金登録処理が選択された場合に表示される入力画面である。出金登録処理は、メイン項目ボタン１００ｃの「登録」が選択され、「登録」のサブ項目ボタン１００ｅの「出金」が選択された場合に実行される。出金登録画面１１３には、売上登録画面１１０とほぼ同じ位置に、仮表示欄１２０およびガイダンス表示欄１３０が設けられている。
【００７３】
図１８は、ポイント加減算登録画面１１４の例を示す図である。ポイント加減算登録画面１１４は、電子キャッシュレジスタ１の動作モードのうち、ポイント加減算登録処理が選択された場合に表示される入力画面である。ポイント加減算登録処理は、メイン項目ボタン１００ｃの「登録」が選択され、「登録」のサブ項目ボタン１００ｅの「ポイント加減算」が選択された場合に実行される。ポイント加減算登録画面１１４には、売上登録画面１１０とほぼ同じ位置に、仮表示欄１２０およびガイダンス表示欄１３０が設けられている。
【００７４】
以上のように、本実施の形態における電子キャッシュレジスタ１は、複数の動作モードに応じた複数の画面をそれぞれ切替つつ、複数の画面のほぼ同じ位置に仮表示欄１２０を表示することにより、画面が切り替わっても仮表示欄１２０の表示位置が変わらない。したがって、オペレータは、画面上の注視すべき位置が動作モードに応じて変化しないので、入力情報が画面上のどこに表示されているかを容易に理解することができ、入力情報の確認が容易にできる。
【００７５】
電子キャッシュレジスタ１は、動作モードに応じて、様々な情報が要求され、一度に表示しなければならない情報は画面ごとに異なる。したがって、確定表示欄１４０の数、形状、位置および大きさ等は画面ごとに様々である。しかし、入力情報を一旦表示しておく仮表示欄１２０については、画面ごとに共通としておくことにより、オペレータの負担を軽減させることができる。すなわち、電子キャッシュレジスタ１のユーザインタフェースが向上する。
【００７６】
＜２．  変形例＞
以上、本発明の実施の形態について説明してきたが、本発明は上記実施の形態に限定されるものではなく様々な変形が可能である。
【００７７】
例えば、上記実施の形態に示した動作順序や動作モードの種類は例示であって、他の順序および動作モードが採用されてもよい。
【００７８】
また、上記実施の形態においては、入力情報として「数字」が入力される場合のみ説明したが、入力情報は「数字」以外の文字であってもよい。
【図面の簡単な説明】
【００７９】
【図１】本発明に係る電子キャッシュレジスタ１の外観斜視図である。
【図２】電子キャッシュレジスタの接続を示すブロック図である。
【図３】電子キャッシュレジスタの動作を示す流れ図である。
【図４】メニュー画面の表示例を示す図である。
【図５】売上登録処理の動作を示す流れ図である。
【図６】売上登録画面の表示例を示す図である。
【図７】売上登録処理における売上登録画面の表示例を示す図である。
【図８】売上登録処理における売上登録画面の表示例を示す図である。
【図９】売上登録処理における売上登録画面の表示例を示す図である。
【図１０】売上登録処理における売上登録画面の表示例を示す図である。
【図１１】売上登録処理における売上登録画面の表示例を示す図である。
【図１２】売上登録処理における売上登録画面の表示例を示す図である。
【図１３】精算処理において表示される精算画面の表示例を示す図である。
【図１４】精算処理において表示される精算画面の表示例を示す図である。
【図１５】精算処理において表示される精算画面の表示例を示す図である。
【図１６】入金登録画面の例を示す図である。
【図１７】出金登録画面の例を示す図である。
【図１８】ポイント加減算登録画面の例を示す図である。
【符号の説明】
【００８０】
１  電子キャッシュレジスタ
１０  制御部
１１０  売上登録画面
１１１  精算画面
１１２  入金登録画面
１１３  出金登録画面
１１４  ポイント加減算登録画面
１２０  仮表示欄
１３０  ガイダンス表示欄
１４０  確定表示欄
１５０  カーソル指定ボタン
１４  プログラム
２０  オペレータディスプレイ
２１  カスタマディスプレイ
２２  キーボード
【図１】
2006244345.tif 000003
【図２】
2006244345.tif 000004
【図３】
2006244345.tif 000005
【図４】
2006244345.tif 000006
【図５】
2006244345.tif 000007
【図６】
2006244345.tif 000008
【図７】
2006244345.tif 000009
【図８】
2006244345.tif 000010
【図９】
2006244345.tif 000011
【図１０】
2006244345.tif 000012
【図１１】
2006244345.tif 000013
【図１２】
2006244345.tif 000014
【図１３】
2006244345.tif 000015
【図１４】
2006244345.tif 000016
【図１５】
2006244345.tif 000017
【図１６】
2006244345.tif 000018
【図１７】
2006244345.tif 000019
【図１８】
2006244345.tif 000020